(57)【特許請求の範囲】
【請求項１】
放射線検出器を、測定状態の位置であるほぼ直方体形状の測定対象容器の外側下部位置に設置し、
放射線源を前記測定対象容器内の一水平面内の複数の位置に移動させてその一水平面内の感度分布を前記放射線検出器の指示値から求め、
前記放射線検出器とは別の放射線検出器によって鉛直方向感度分布を相対値として求め、
前記測定対象容器内水平面内の感度分布が各高さ位置で相似であると仮定して、前記一水平面内の感度分布と鉛直方向感度分布とに基づいて、線源の位置と線源強度により三次元的検出効率を求めること
を特徴とする、放射線計装システム校正方法。
【請求項２】
放射線検出器を測定状態の位置であるほぼ直方体形状の測定対象容器の外側下部位置に設置し、
放射線源を前記測定対象容器内の複数の水平面内のそれぞれ複数の位置に移動させて前記複数の水平面内の感度分布を前記放射線検出器の指示値から求め、
前記放射線検出器とは別の放射線検出器によって鉛直方向感度分布を相対値として求め、
前記複数の水平面内感度分布と鉛直方向感度分布から内外挿することにより、
線源の位置と線源強度により三次元的検出効率を求めること
を特徴とする、放射線計装システム校正方法。
【請求項３】
放射線検出器を、測定状態の位置であるほぼ直方体状の測定対象容器の外側下部位置に、放射線検出器の長手方向の軸（以下、ｘ軸という）が水平になるように設置し、
線源を前記測定対象容器内のｘ軸に垂直な一鉛直平面（以下、ｘ平面という）内の複数の位置に移動させてそのｘ平面内の感度分布を前記放射線検出器の指示値から求め、
前記測定対象容器外の校正装置によってｘ軸方向感度分布を相対値として求め、
前記ｘ平面内の感度分布が各ｘ軸方向位置で相似であると仮定して、前記ｘ平面内の感度分布とｘ軸方向感度分布とに基づいて、線源の位置と線源強度により三次元的検出効率を求めること
を特徴とする、放射線計装システム校正方法。
【請求項４】
放射線検出器を、測定状態の位置であるほぼ直方体状の測定対象容器の外側下部位置に、放射線検出器の長手方向の軸（以下、ｘ軸という）が水平になるように設置し、
線源を前記測定対象容器内のｘ軸に垂直な複数の鉛直平面（以下、ｘ平面という）内のそれぞれ複数の位置に移動させて前記複数のｘ平面内の感度分布を前記放射線検出器の指示値から求め、
前記測定対象容器外の校正装置によってｘ軸方向感度分布を相対値として求め、
前記ｘ平面内の感度分布が前記ｘ軸方向感度分布に従って滑らかに変化すると仮定して、前記複数のｘ平面内感度分布とｘ軸方向感度分布から内外挿することにより、線源の位置と線源強度により三次元的検出効率を求めること
を特徴とする、放射線計装システム校正方法。
【請求項５】
放射線検出器を、測定状態の位置であるほぼ直方体状の測定対象容器の外側下部位置に、放射線検出器の長手方向の軸（以下、ｘ軸という）が水平になるように設置し、
線源を前記測定対象容器内のｘ軸を含む一鉛直平面（以下、ｙ平面という）内の複数の位置に移動させてそのｙ平面内の感度分布を前記放射線検出器の指示値から求め、
前記放射線検出器とは別の放射線検出器によって、ｘ軸方向と垂直でかつ水平な方向（以下、ｙ軸方向という）の感度分布を相対値として求め、
前記ｙ平面内の感度分布が各ｙ軸方向位置で相似であると仮定して、前記ｙ平面内の感度分布とｙ軸方向感度分布とに基づいて、線源の位置と線源強度により三次元的検出効率を求めること
を特徴とする、放射線計装システム校正方法。
【請求項６】
放射線検出器を、測定状態の位置であるほぼ直方体状の測定対象容器の外側下部位置に、放射線検出器の長手方向の軸（以下、ｘ軸という）が水平になるように設置し、線源を前記測定対象容器内のｘ軸を含む鉛直平面およびこの鉛直平面に平行な少なくとも一つの鉛直平面（これらの鉛直平面を以下、ｙ平面という）内のそれぞれ複数の位置に移動させて前記複数のｙ平面内の感度分布を前記放射線検出器の指示値から求め、
前記測定対象容器外の校正装置によってｙ平面に垂直な方向（以下、ｙ軸方向という）の感度分布を相対値として求め、
前記複数のｙ平面内感度分布とｙ軸方向の感度分布から内外挿することにより、線源の位置と線源強度により三次元的検出効率を求めること
を特徴とする、放射線計装システム校正方法。
【請求項７】
請求項１または２と、請求項３または４と、請求項５または６を組合せることを特徴とする、放射線計装システム校正方法。
【請求項８】
前記測定対象容器の下部でかつ前記放射線検出器の上方に水平に遮へい板を設け、この遮へい板の前記放射線検出器の上方位置にｘ軸方向に延びるウィンドウを設け、前記測定対象容器外の校正装置にも同様の遮へい板およびウィンドウを設け、前記放射線検出器軸上１点のみでｙ軸方向の分布を測定し、これをもとに全ｘ軸の補正を行うことを特徴とする、請求項３、４または７の放射線計装システム校正方法。
【請求項９】
前記測定対象容器が軸を鉛直とするほぼ円筒状で、放射線検出器を前記測定対象容器の上面から挿入して設置する放射線計装システム校正方法であって、前記円筒の軸方向をx軸方向、円筒の中心から外側方向をｚ軸方向、円筒の同心円周方向をｙ軸方向と見做して適用することを特徴とする、請求項１ないし８のいずれかの放射線計装システム校正方法。
【発明の詳細な説明】
【０００１】
【発明の属する技術分野】
本発明は、容器に放射性溶液を入れてその容器の外側に設置した放射線検出器（以下、検出器という）によってその放射性溶液中の放射能の量を測定する放射線計装システムで、そのシステムを校正する方法に関する。
【０００２】
【従来の技術】
従来の放射線計装システム校正方法は、例えば特開平５−297184号公報に開示されている。従来の放射線計装システム校正方法を図６を参照して以下に説明する。容器１は、通常測定時に放射性溶液を収容するための直方体形状の容器であって、例えばステンレス鋼製である。この容器１の側面に垂直な水平方向にｘ軸およびｙ軸を取り、鉛直方向にｚ軸を取る。この容器１の下方にはこれに接して例えばポリエチレン製のブロック２があって、このブロック２には側面からｘ軸方向に穴３が開けられている。穴３には棒状の検出器４が挿入され、検出器４がｘ軸方向に向けて配置されている。検出器のケーブル５は、穴３から外に取り出される。この放射線計装システムの校正にあたっては、容器１内に放射性溶液を入れない状態で、校正用の放射線源（以下、単に線源という）６を容器１内に配置し、この線源６をｘ軸、ｙ軸、ｚ軸の各方向に移動して、このときの検出器４の出力により、検出効率すなわち指示値／放射線量率の値を求める。
【０００３】
【発明が解決しようとする課題】
上記の従来の方式では、検出効率を求める場合、線源を多数の測定点数に移動して測定を行なう必要があり、煩雑であった。本発明は、精度を確保した上で、測定点数を削減する方法を提供することを目的とする。
【０００４】
【課題を解決するための手段】
上記目的を達成するために、請求項１の発明の放射線計装システム校正方法では、放射線検出器を、測定状態の位置であるほぼ直方体形状の測定対象容器の外側下部位置に設置し、放射線源を前記測定対象容器内の一水平面内の複数の位置に移動させてその一水平面内の感度分布を前記放射線検出器の指示値から求め、前記放射線検出器とは別の放射線検出器によって鉛直方向感度分布を相対値として求め、前記測定対象容器内水平面内の感度分布が各高さ位置で相似であると仮定して、前記一水平面内の感度分布と鉛直方向感度分布とに基づいて、線源の位置と線源強度により三次元的検出効率を求める。
【０００５】
又、請求項２の発明の放射線計装システム校正方法では、放射線検出器を測定状態の位置であるほぼ直方体形状の測定対象容器の外側下部位置に設置し、放射線源を前記測定対象容器内の複数の水平面内のそれぞれ複数の位置に移動させて前記複数の水平面内の感度分布を前記放射線検出器の指示値から求め、前記放射線検出器とは別の放射線検出器によって鉛直方向感度分布を相対値として求め、前記複数の水平面内感度分布と鉛直方向感度分布から内外挿することにより、線源の位置と線源強度により三次元的検出効率を求める。
【０００６】
さらに、請求項３の発明の放射線計装システム校正方法では、放射線検出器を、測定状態の位置であるほぼ直方体状の測定対象容器の外側下部位置に、放射線検出器の長手方向の軸（以下、ｘ軸という）が水平になるように設置し、線源を前記測定対象容器内のｘ軸に垂直な一鉛直平面（以下、ｘ平面という）内の複数の位置に移動させてそのｘ平面内の感度分布を前記放射線検出器の指示値から求め、前記測定対象容器外の校正装置によってｘ軸方向感度分布を相対値として求め、前記ｘ平面内の感度分布が各ｘ軸方向位置で相似であると仮定して、前記ｘ平面内の感度分布とｘ軸方向感度分布とに基づいて、線源の位置と線源強度により三次元的検出効率を求める。
【０００７】
さらに、請求項４の発明の放射線計装システム校正方法では、放射線検出器を、測定状態の位置であるほぼ直方体状の測定対象容器の外側下部位置に、放射線検出器の長手方向の軸（以下、ｘ軸という）が水平になるように設置し、線源を前記測定対象容器内のｘ軸に垂直な複数の鉛直平面（以下、ｘ平面という）内のそれぞれ複数の位置に移動させて前記複数のｘ平面内の感度分布を前記放射線検出器の指示値から求め、前記測定対象容器外の校正装置によってｘ軸方向感度分布を相対値として求め、前記ｘ平面内の感度分布が前記ｘ軸方向感度分布に従って滑らかに変化すると仮定して、前記複数のｘ平面内感度分布とｘ軸方向感度分布から内外挿することにより、線源の位置と線源強度により三次元的検出効率を求めることを特徴とする。
【０００８】
さらに、請求項５の発明の放射線計装システム校正方法では、放射線検出器を、測定状態の位置であるほぼ直方体状の測定対象容器の外側下部位置に、放射線検出器の長手方向の軸（以下、ｘ軸という）が水平になるように設置し、線源を前記測定対象容器内のｘ軸を含む一鉛直平面（以下、ｙ平面という）内の複数の位置に移動させてそのｙ平面内の感度分布を前記放射線検出器の指示値から求め、前記放射線検出器とは別の放射線検出器によって、ｘ軸方向と垂直でかつ水平な方向（以下、ｙ軸方向という）の感度分布を相対値として求め、前記ｙ平面内の感度分布が各ｙ軸方向位置で相似であると仮定して、前記ｙ平面内の感度分布とｙ軸方向感度分布とに基づいて、線源の位置と線源強度により三次元的検出効率を求めることを特徴とする。
【０００９】
さらに、請求項６の発明の放射線計装システム校正方法では、放射線検出器を、測定状態の位置であるほぼ直方体状の測定対象容器の外側下部位置に、放射線検出器の長手方向の軸（以下、ｘ軸という）が水平になるように設置し、線源を前記測定対象容器内のｘ軸を含む鉛直平面およびこの鉛直平面に平行な少なくとも一つの鉛直平面（これらの鉛直平面を以下、ｙ平面という）内のそれぞれ複数の位置に移動させて前記複数のｙ平面内の感度分布を前記放射線検出器の指示値から求め、前記複数のｙ平面内感度分布とｙ軸方向の感度分布から内外挿することにより、線源の位置と線源強度により三次元的検出効率を求める。
【００１０】
さらに、請求項７の発明の放射線計装システム校正方法では、請求項１または２と、請求項３または４と、請求項５または６を組合せる。
【００１１】
さらに、請求項８の発明は、前記測定対象容器の下部でかつ前記放射線検出器の上方に水平に遮へい板を設け、この遮へい板の前記放射線検出器の上方位置にｘ軸方向に延びるウィンドウを設け、前記測定対象容器外の校正装置にも同様の遮へい板およびウィンドウを設け、前記放射線検出器軸上１点のみでy軸方向の分布を測定し、これをもとに全x軸の補正を行うことを特徴とする、請求項３、４または７の放射線計装システム校正方法である。
【００１２】
さらに、請求項９の発明は、前記測定対象容器が軸を鉛直とするほぼ円筒状で、放射線検出器を前記測定対象容器の上面から挿入して設置する放射線計装システム校正方法であって、前記円筒の軸方向をｘ軸方向、円筒の中心から外側方向をｚ軸方向、円筒の同心円周方向をｙ軸方向と見做して適用することを特徴とする、請求項１ないし８のいずれかの放射線計装システム校正方法である。
本発明によれば、線源の移動点数が削減できるので、校正を簡略化した放射線計装システム校正方法を得ることができる。
【００１３】
【発明の実施の形態】
以下の説明で、従来と同じ部分については共通の符号を用いることによって、説明を省略する。
【００１４】
［第１の実施の形態］［請求項１、２対応］
図１は本発明の第１の実施の形態の放射線計装システムを示す。
図１（ａ）に示すように、放射線検出器（以下、検出器という）４を測定状態の位置（測定対象容器１の外側下部）のブロック２の穴３内に設置する。線源６を測定対象容器１（直方体状）内の多数の決められた位置に移動させ３次元の感度分布を検出器４の指示値から求め、その分布・線源の位置・線源強度より検出効率（指示値／放射線量率）を求める際に、図１（ｂ）に示す鉛直方向（以下、z軸方向とも称す）の感度分布は、図示しない別の検出器で求めたものを用いる。別の検出器で求めた分布を相対値として使用し、一水平面の値で補正する。この場合、測定対象容器４内の水平面内の感度分布が各高さ位置で相似であると仮定する。すなわちこの実施の形態では線源６は、ｚ軸方向位置を固定して、一水平面内で移動する。
【００１５】
鉛直方向の感度部分布については、別の検出器で相対値として求め、これを使用する。検出器ごとに感度が異なるので、図１（ｂ）の曲線は相対的なものである。
【００１６】
この実施の形態の変形例として、図１（ｃ）に示すように、z軸方向の感度分布を２点以上測定し、これらの点で絶対感度補正を行うとともに、残りの点は別の検出器で求めた相対分布を内外挿することもできる。この場合、測定対象容器１内の水平面内の感度分布が、鉛直方向感度分布に従って滑らかに変化すると仮定して、複数の水平面内感度分布と鉛直方向感度分布から内外挿する。この変形例では、測定点数が若干多くなるが、精度が高くなる。
【００１７】
［第２の実施の形態］［請求項３、４対応］
図２は本発明の第２の実施の形態の放射線計装システムを示す。
図２（ａ）および（ｂ）に示すように、x軸方向の感度分布は、この放射線計装システムとは別の図示しない校正装置（相対感度校正用）で求めた分布を相対値として使用し、ｘ軸に垂直な一鉛直面（以下、ｘ平面という）の値で補正する。この実施の形態では、ｘ平面内の感度分布がｘ軸方向各位置で相似であると仮定している。
【００１８】
この実施の形態の変形例として、図２（ｃ）に示すように、x軸方向の感度分布を２点以上測定し、この点で絶対感度補正を行うとともに、残りの点は校正装置で求めた相対分布を内外挿することもできる。この内外挿においては、ｘ平面内の感度分布がｘ軸方向感度分布に従って滑らかに変化すると仮定している。この変形例では、測定点数が若干多くなるが、精度が高くなる。
【００１９】
［第３の実施の形態］［請求項５、６対応］
図３は本発明の第３の実施の形態の放射線計装システムを示す。
図３（ａ）および（ｂ）に示すように、y軸方向の感度分布は、別の検出器で求めた分布を相対値として使用し、x軸の値で絶対補正する。検出器ごとに感度が異なるので、図２（ｂ）の曲線は相対的なものである。
【００２０】
この実施の形態の変形例として、図３（ｃ）に示すように、y軸方向の感度分布を２点以上測定し、この点で絶対感度補正を行うとともに、残りの点は校正装置で求めた相対分布を内外挿することもできる。この場合、測定対象容器１内のｙ軸方向に垂直な平面（以下、ｙ平面という）内の感度分布が、ｙ軸方向感度分布に従って滑らかに変化すると仮定して、複数のｙ平面内感度分布と鉛直方向感度分布から内外挿する。この変形例では、測定点数が若干多くなるが、精度が高くなる。
【００２１】
［他の実施の形態］［請求項９対応］
ここで、以上示した第１〜第３の実施の形態を組み合せることが可能であることはいうまでもない。
【００２２】
［第４の実施の形態］［請求項８対応］
図４は本発明の第４の実施の形態の放射線計装システムを示す。
図４（ａ）に示すように、容器１の底部で検出器４の上方に水平に遮へい板10が挿入されている。この遮へい板10は放射線を遮へいするものであって、例えば中性子測定用にはカドミウムからできている。この遮へい板10の、検出器４の真上の部分には、ｘ軸方向に延びる細長い窓（ウィンドウ）11が設けられている。この場合は、図４（ｂ）に示すように、検出器４に入る放射線の入射角がｙ軸方向に広がらない。この実施の形態の場合、ｘ軸方向感度分布を相対値として求めるための容器１外の校正装置（図示せず）にも同様のウィンドウを設け、ｘ軸上の１点のみでｙ軸の分布を測定し、これを基に全x軸の補正を行う。
【００２３】
［第５の実施の形態］［請求項９対応］
図５は本発明の第５の実施の形態の放射線計装システムを示す。
測定対象容器51は円筒状で、ケーブル55の接続された棒状の検出器54を、円筒上面の穴53から挿入して設置する。この場合、円筒の鉛直軸（円筒z軸）をx軸、円筒の中心から外側方向の軸（r軸）をz軸、円筒の同心円周方向軸（θ軸）をy軸とみなすことにより、上記第１〜第４の実施の形態と同様の説明が成り立つ。
【００２４】
【発明の効果】
本発明によれば、線源の移動点数が削減できるので、校正を簡略化した放射線計装システム校正方法を得ることができる。
【図面の簡単な説明】
【図１】本発明の第１の実施の形態の放射線計装システムの校正方法を示す説明図であって、（ａ）は同システムの模式的斜視図、（ｂ）は１点で補正する場合のｚ軸の指示値分布曲線、（ｃ）は２点以上で補正する場合のｚ軸の指示値分布曲線。
【図２】本発明の第２の実施の形態の放射線計装システムの校正方法を示す説明図であって、（ａ）は同システムの模式的斜視図、（ｂ）は１点で補正する場合のｘ軸の指示値分布曲線、（ｃ）は２点以上で補正する場合のｘ軸の指示値分布曲線。
【図３】本発明の第３の実施の形態の放射線計装システムの校正方法を示す説明図であって、（ａ）は同システムの模式的斜視図、（ｂ）は１点で補正する場合のｙ軸の指示値分布曲線、（ｃ）は２点以上で補正する場合のｙ軸の指示値分布曲線。
【図４】本発明の第４の実施の形態の放射線計装システムの校正方法を示す説明図であって、（ａ）は同システムの模式的斜視図、（ｂ）は１点で補正する場合のｙ軸の指示値分布曲線。
【図５】本発明の第５の実施の形態の放射線計装システムを示す模式的斜視図。
【図６】従来の放射線計装システムを示す模式的斜視図。
【符号の説明】
１，51…容器、２…ブロック、３，53…穴、４，54…検出器、５，55…ケーブル、６…線源、10…遮へい板、11…ウィンドウ。
【図１】
0004371535.tif 000002
【図２】
0004371535.tif 000003
【図３】
0004371535.tif 000004
【図４】
0004371535.tif 000005
【図５】
0004371535.tif 000006
【図６】
0004371535.tif 000007